(57)【要約】【課題】医療従事者による「継続（又は再開）」のボタンの押し忘れによる不都合を防止できるベッドサイドモニターを提供すること。【解決手段】ベッドサイドモニター１００は、トランスポートモニター２０との接続を検出する接続検出部１１１と、トランスポートモニター２０が未接続状態から接続状態となったことが検出された場合、中断モードに設定されたときに接続されていたトランスポートモニター２０の患者ＩＤと今回接続状態となったトランスポートモニター２０の患者ＩＤとが同一であるか否かを識別するＩＤ識別部１１２と、中断モードに設定されたとき又は中断モードに設定される直前に接続されていたトランスポートモニター２０の患者ＩＤと、今回接続状態となったトランスポートモニター２０の患者ＩＤとが同一であると識別された場合、自装置のモニタリングを中断モードからモニタリングモードに復帰させる制御部１１０と、を有する。【選択図】図３
2019013682.tif 000002
【特許請求の範囲】
【請求項１】
ベッドサイドモニターと、前記ベッドサイドモニターに接続可能な可搬型のトランスポートモニターと、を有する生体情報モニタリングシステムに用いられる前記ベッドサイドモニターであって、
自装置のモニタリングを中断モードに設定操作可能な操作部と、
前記トランスポートモニターとの接続を検出する接続検出部と、
前記接続検出部によって前記トランスポートモニターが未接続状態から接続状態となったことが検出された場合、中断モードに設定されたときに接続されていたトランスポートモニターの患者ＩＤと今回接続状態となったトランスポートモニターの患者ＩＤとが同一であるか否かを識別するＩＤ識別部と、
前記ＩＤ識別部によって、中断モードに設定されたときに又は中断モードに設定される直前に接続されていたトランスポートモニターの患者ＩＤと、今回接続状態となったトランスポートモニターの患者ＩＤとが同一であると識別された場合、自装置のモニタリングを中断モードからモニタリングモードに復帰させるための処理を実行する制御部と、
を具備するベッドサイドモニター。
【請求項２】
前記制御部は、前記中断モードからモニタリングモードに復帰させるための処理として、自装置のモニタリングを中断モードから強制的にモニタリングモードに復帰させる処理を行う、
請求項１に記載のベッドサイドモニター。
【請求項３】
前記制御部は、前記中断モードからモニタリングモードに復帰させるための処理として、モニタリングの復帰操作をユーザーに促す表示を行う、
請求項１に記載のベッドサイドモニター。
【請求項４】
自装置から前記トランスポートモニターが外されたことが前記接続検出部によって検出されたときに、中断モード又は退床モードを選択するための画面を表示する、
請求項１に記載のベッドサイドモニター。
【請求項５】
ベッドサイドモニターと、前記ベッドサイドモニターに接続可能な可搬型のトランスポートモニターと、を有する生体情報モニタリングシステムに用いられる前記ベッドサイドモニターであって、
自装置のモニタリングを中断モードに設定操作可能な操作部と、
前記トランスポートモニターとの接続を検出する接続検出部と、
前記接続検出部によって前記トランスポートモニターが未接続状態から接続状態となったことが検出された場合、中断モードに設定されたときに接続されていたトランスポートモニターの患者ＩＤと今回接続状態となったトランスポートモニターの患者ＩＤとが同一であるか否かを識別するＩＤ識別部と、
を具備し、
前記接続検出によって、自装置に前記トランスポートモニターが接続されたことが検出され、かつ、前記ＩＤ識別部によって、中断モードに設定されたときに又は中断モードに設定される直前に接続されていたトランスポートモニターの患者ＩＤと、今回接続状態となったトランスポートモニターの患者ＩＤとが異なると識別された場合、
前記トランスポートモニターに設定されている患者ＩＤに紐付けられた患者情報を使うモード、自装置に設定されている患者ＩＤに紐付けられた患者情報を使うモード、又は、新規に患者情報を入力してモニタリングを開始するモード、のうちのいずれかのモードをユーザーに選択させるための画面を表示する、
ベッドサイドモニター。
【発明の詳細な説明】
【技術分野】
【０００１】
本発明は、可搬型のトランスポートモニターを接続可能なベッドサイドモニターに関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移送と一緒に行う必要がある。小型の医療用ポータブルモニタシステム（例えば特許文献１、２参照）が広く用いられている。
【０００３】
この種のシステムとして、据置型のベッドサイドモニターに可搬型のトランスポートモニターを接続可能（具体的にはドッキング及び取り外し可能）とされたものがある。なおこの種のベッドサイドモニターは、トランスポートモニターに対するホストモニターと言うこともできる。
【０００４】
トランスポートモニターは、心電図測定用電極などが接続される端子部、小型ディスプレイ、データ記憶装置、及び、バッテリなどを有し、患者が移送中でも生体情報を途切れなく取得し、それを表示及び記録することができる。患者の移送中にトランスポートモニターに記録された生体情報は、トランスポートモニターがベッドサイドモニターにドッキングされた際にベッドサイドモニターに転送される。ベッドサイドモニターに転送された生体情報は、ベッドサイドモニターに接続されたセントラルモニターにも送られる。
【０００５】
このようなトランスポートモニターを有するシステムを用いれば、移送中の患者の生体情報を容易に取得できる。また、ベッドサイドモニターにトランスポートモニターをドッキングするように構成したことにより、患者に装着された生体情報取得用の電極などをベッドサイドモニターとトランスポートモニターとの間で接続し直すことなく、トランスポートモニターをベッドサイドモニターに抜き差しするだけで生体情報の測定を継続できる。
【先行技術文献】
【特許文献】
【０００６】
【特許文献１】特表平８−５０４３４５号公報
【特許文献２】特表平８−５０４５３１号公報
【発明の概要】
【発明が解決しようとする課題】
【０００７】
ベッドサイドモニターからトランスポートモニターが外されるケースとしては、（ｉ）トランスポートモニターが一旦ベッドサイドモニターから外されるが、患者が検査室などに行った後に再び戻って来てトランスポートモニターが元のベッドサイドモニターに接続されてモニタリングが継続されるケース、（ｉｉ）患者が他の病棟へと移送され、それに伴ってトランスポートモニターが他のベッドサイドモニターに接続されるケース、（ｉｉｉ）トランスポートモニターが意図せずにベッドサイドモニターから外れてしまったケース、などがある。
【０００８】
ここで、ベッドサイドモニターには、一般に、「入床」、「中断」、「退床」、「継続（又は再開）」などのボタンが用意されている。患者の入床時には入床ボタンが操作され、患者名や患者ＩＤなどが入力されることで、ベッドサイドモニターと患者とが紐付けされる。次に、上記（ｉ）のようなケースでは、ベッドサイドモニターからのトランスポートモニターの取り外し時に「中断」のボタンが操作され、ベッドサイドモニターへのトランスポートモニターの再接続時に「継続（又は再開）」のボタンが操作される。上記（ｉｉ）のようなケースでは、ベッドサイドモニターからのトランスポートモニターの取り外し時に「退床」のボタンが操作される。
【０００９】
ところで、上記（ｉ）のようなケースにおいて、看護師や医師などの医療従事者がベッドサイドモニターへのトランスポートモニターの再接続時に「継続（又は再開）」のボタンを操作しなかった場合、トランスポートモニターがそのベッドサイドモニターに接続されているにもかかわらず、そのベッドサイドモニターは中断モードのままとなり、そのベッドサイドモニターに接続されているセントラルモニターでは、そのベッドサイドモニターでモニタリングが行われていないと認識されることになる。
【００１０】
この結果、実際には患者がそのベッドサイドモニターが設置されている床にてモニタリングを行っているにもかかわらず、セントラルモニターを見ている医療従事者は、そのベッドサイドモニターはモニタリングが中断されたままであり、患者はその床にはいないと認識することとなり、甚だ不都合である。
【００１１】
本発明は、以上の点を考慮してなされたものであり、医療従事者による「継続（又は再開）」のボタンの押し忘れによる不都合を防止できるベッドサイドモニターを提供する。
【課題を解決するための手段】
【００１２】
本発明のベッドサイドモニターの一つの態様は、
ベッドサイドモニターと、前記ベッドサイドモニターに接続可能な可搬型のトランスポートモニターと、を有する生体情報モニタリングシステムに用いられる前記ベッドサイドモニターであって、
自装置のモニタリングを中断モードに設定操作可能な操作部と、
前記トランスポートモニターとの接続を検出する接続検出部と、
前記接続検出部によって前記トランスポートモニターが未接続状態から接続状態となったことが検出された場合、中断モードに設定されたときに接続されていたトランスポートモニターの患者ＩＤと今回接続状態となったトランスポートモニターの患者ＩＤとが同一であるか否かを識別するＩＤ識別部と、
前記ＩＤ識別部によって、中断モードに設定されたときに又は中断モードに設定される直前に接続されていたトランスポートモニターの患者ＩＤと、今回接続状態となったトランスポートモニターの患者ＩＤとが同一であると識別された場合、自装置のモニタリングを中断モードからモニタリングモードに復帰させるための処理を実行する制御部と、
を具備する。
【発明の効果】
【００１３】
本発明によれば、医療従事者による「継続（又は再開）」のボタンの押し忘れによる不都合を防止できる。
【図面の簡単な説明】
【００１４】
【図１】実施の形態に係るベッドサイドモニター及びトランスポートモニターのドッキング（接続）の様子を示す図であり、図１Ａはベッドサイドモニターからトランスポートモニターを取り外す様子を示す図、図１Ｂは患者と一緒にトランスポートモニターを移動させる様子を示す図、図１Ｃはベッドサイドモニターにトランスポートモニターをドッキングさせる様子を示す図
【図２】実施の形態のベッドサイドモニター及びトランスポートモニターが接続される院内システムの概略構成を示す図
【図３】実施の形態のベッドサイドモニターの構成を示すブロック図
【図４】トランスポートモニターがベッドサイドモニターから外されたときにタッチパネルに表示される画面を示す図
【図５】トランスポートモニターがベッドサイドモニターに接続されたときにタッチパネルに表示される患者選択画面を示す図
【図６】実施の形態の動作の説明に供するフロー図
【発明を実施するための形態】
【００１５】
以下、本発明の実施の形態を、図面を参照して説明する。
【００１６】
＜１＞全体構成
先ず、実施の形態の全体構成及び前提構成について説明する。
【００１７】
図１は、ベッドサイドモニター１１、１２及びトランスポートモニター２０のドッキング（接続）の様子を示す図である。ここで、図示していないが、トランスポートモニター２０には、心電図測定用電極などの患者の生体情報を取得するための生体情報検出部が接続されている。
【００１８】
患者が、ベッドサイドモニター１１が配置された場所からベッドサイドモニター１２が配置された場所へと移送される場合、医師や看護師などの医療従事者はベッドサイドモニター１１からトランスポートモニター２０を取り外し（図１Ａ）、患者と一緒にトランスポートモニターを移動させた（図１Ｂ）後、ベッドサイドモニター１２にトランスポートモニター２０をドッキングさせる（図１Ｃ）。このようにすることで、患者の移送中でもトランスポートモニター２０によってその患者の生体情報を取得することができる。
【００１９】
ここで、トランスポートモニター２０の底面や側面、及び、それに対応するベッドサイドモニター１１、１２の面には、ドッキングしたときに互いに電気的に接続するコネクタ部が設けられており、これにより、トランスポートモニター２０とベッドサイドモニター１１、１２は、このコネクタ部を介して互いに生体情報及び設定情報などの情報を送受できるようになっている。
【００２０】
ベッドサイドモニター１１、１２とトランスポートモニター２０とを互いに比較した場合の各装置の特徴は以下の通りである。
【００２１】
ベッドサイドモニター：
・ベッドサイドに据え置いて設置されることが想定されており、トランスポートモニターよりも重い。
・表示できる生体情報のパラメータの数がトランスポートモニターよりも多い。
・接続できる外部機器の数がトランスポートモニターよりも多い。
・ディスプレイがトランスポートモニターよりも大きく、拡張ディスプレイも接続できる。
・セントラルモニターにネットワーク接続されることが前提となっている。
【００２２】
トランスポートモニター：
・持ち運びすることが想定されており、ベッドサイドモニターよりも小型で軽い。
・表示できる生体情報のパラメータの数がベッドサイドモニターよりも少ない。
・接続できる外部機器の数がベッドサイドモニターよりも少ない。
・ディスプレイがベッドサイドモニターよりも小さい。
・移動中に患者の生体情報を記録できるメモリを有する。このメモリは、例えば１０日間分の生体情報を記録できる容量を有する。
【００２３】
なお、ベッドサイドモニターとトランスポートモニターは必ずしも上述の特徴の全てを有する必要は無いが、少なくともトランスポートモニターはベッドサイドモニターよりも小型で軽く構成されており、持ち運び可能である。
【００２４】
図２は、本実施の形態のベッドサイドモニター及びトランスポートモニターが接続される病院内システム（以下「院内システム」と呼ぶ）１０の概略構成を示す図である。院内システム１０では、手術室に１以上のベッドサイドモニター１１Ａ〜１１Ｘが設置され、ＩＣＵ(Intensive Care Unit：集中治療室)に１以上のベッドサイドモニター１２Ａ〜１２Ｘが設置され、病棟に１以上のベッドサイドモニター１３Ａ〜１３Ｘが設置されている。なお、本明細書で述べる「病棟」とは、手術室やＩＣＵなどの特別な処置室を除くいわゆる「一般病棟」のことである。
【００２５】
手術室のベッドサイドモニター１１Ａ〜１１Ｘはセントラルモニター３１に接続されており、ＩＣＵのベッドサイドモニター１２Ａ〜１２Ｘはセントラルモニター３２に接続されており、病棟のベッドサイドモニター１３Ａ〜１３Ｘはセントラルモニター３３に接続されている。
【００２６】
さらに、セントラルモニター３１、３２、３３は、サーバ装置４０に接続されている。これにより、ベッドサイドモニター１１Ａ〜１１Ｘにより取得された生体情報はセントラルモニター３１に集約されて表示や記録が行われ、ベッドサイドモニター１２Ａ〜１２Ｘにより取得された生体情報はセントラルモニター３２に集約されて表示や記録が行われ、ベッドサイドモニター１３Ａ〜１３Ｘにより取得された生体情報はセントラルモニター３３に集約されて表示や記録が行われる。また、セントラルモニター３１、３２、３３で取得された生体情報はサーバ装置４０に集約されて記録される。サーバ装置４０は、例えばセントラルモニター３１、３２、３３やベッドサイドモニター１１Ａ〜１１Ｘ、１２Ａ〜１２Ｘ、１３Ａ〜１３Ｘの要求に応じて、記録した生体情報をセントラルモニター３１、３２、３３やベッドサイドモニター１１Ａ〜１１Ｘ、１２Ａ〜１２Ｘ、１３Ａ〜１３Ｘに送ることができる。
【００２７】
トランスポートモニター２０は、各ベッドサイドモニター１１Ａ〜１１Ｘ、１２Ａ〜１２Ｘ、１３Ａ〜１３Ｘにドッキング（接続）可能であり、患者と一緒に移動し、患者が移送された先のベッドサイドモニター１１Ａ〜１１Ｘ、１２Ａ〜１２Ｘ、１３Ａ〜１３Ｘにドッキング（接続）される。
【００２８】
なお、図２では、院内システム１０を示したが、トランスポートモニター２０は、例えば救急車内に設けられたベッドサイドモニターにドッキング（接続）することもできる。
【００２９】
＜２＞ベッドサイドモニターの構成
図３は、本実施の形態のベッドサイドモニター１００の構成を示すブロック図である。ベッドサイドモニター１００は、図１及び図２のベッドサイドモニター１１Ａ〜１１Ｘ、１２Ａ〜１２Ｘ、１３Ａ〜１３Ｘとして用いられるものである。
【００３０】
ベッドサイドモニター１００は、コネクタ部１０１、１０２、１０３を有する。
【００３１】
コネクタ部１０１は、患者に装着された生体情報検出部をベッドサイドモニター１００に接続するためのコネクタである。コネクタ部１０１には、心電図を検出するための心電図測定用電極２０１、血圧を検出するための血圧測定用カフ２０２、体温を検出するための体温センサ２０３、ＳｐＯ２を検出するためのＳｐＯ２センサ２０４、及び心拍出量を検出するための心拍出量センサ２０５等の生体情報検出部が接続される。
【００３２】
コネクタ部１０２には、トランスポートモニター２０が接続される。コネクタ部１０３には、セントラルモニター３０が接続される。
【００３３】
計測処理部１０４は、所定の計測処理を実行することで、コネクタ部１０１に接続された生体情報検出部（心電電極２０１、血圧測定用カフ２０２、体温センサ２０３、ＳｐＯ２センサ２０４及び心拍出量センサ２０５）を用いて患者の生体情報を計測する。なお、上記生体情報検出部を用いた各種生体情報の計測方法については従来周知のものを適用可能であるため、ここではその詳細な説明を省略する。計測処理部１０４によって得られた生体情報は、記憶部１０５に記憶されるとともにタッチパネル１０９に表示される。
【００３４】
一方、トランスポートモニター２０によって取得された生体情報は、コネクタ部１０２及び送受信処理部１０６を介して記憶部１０５に記憶される。因みに、トランスポートモニター２０の移動中にトランスポートモニター２０によって取得された生体情報は、一旦トランスポートモニターの記憶部（図示せず）に記憶され、ベッドサイドモニター１００と接続されたときにコネクタ部１０２及び送受信処理部１０６を介してベッドサイドモニター１００の記憶部１０５に転送記憶される。
【００３５】
記憶部１０５に記憶された生体情報は、送受信処理部１０６及びコネクタ部１０３を介してセントラルモニター３０に送られる。これにより、セントラルモニター３０では、ベッドサイドモニター１００及びトランスポートモニター２０で取得された生体情報を表示及び記録することができる。
【００３６】
制御部１１０は、計測処理部１０４、送受信部１０６、表示制御部１０７及びアラームインジケータ１０８を制御する。
【００３７】
タッチパネル１０９は、表示制御部１０７によって制御され、生体情報を計測値又は波形の形式で表示する。また、タッチパネル１０９は、生体情報を表示する表示機能を有するだけでなく、操作者による入力操作を受け付ける操作入力部としての機能も有する。具体的には、タッチパネル１０９におけるユーザーのタッチ操作を示す情報がタッチパネル１０９から制御部１１０に送られ、制御部１１０はタッチ操作に従って、タッチパネル１０９上での表示変更やベッドサイドモニター１００のモード変更、各種の登録処理などを行う。
【００３８】
アラームインジケータ１０８は、ベッドサイドモニター１００の筐体上部などに設けられており、制御部１１０によって生体情報に異常が生じたと判定されたときに例えば赤色に発光するようになっている。
【００３９】
また、ベッドサイドモニター１００は、接続検出部１１１及びＩＤ識別部１１２を有する。接続検出部１１１は、コネクタ部１０２にトランスポートモニター２０が接続されているか否かを検出し、検出結果を制御部１１０に送出する。ＩＤ識別部１１２は、コネクタ部１０２に接続されたトランスポートモニター２０に設定されている患者ＩＤをコネクタ部１０２を介して入力し、この患者ＩＤが以前に接続されたトランスポートモニター２０の患者ＩＤと同じか否かを識別し、識別結果を制御部１１０に送出する。
【００４０】
トランスポートモニター２０がベッドサイドモニター１００から外された場合、接続検出部１１１によってこのことが検出され、タッチパネル１０９には、図４に示す画面が表示される。ユーザー（医療従事者）によって「モニター中断」ボタンがタッチされると、ベッドサイドモニター１００はモニタリングの中断モードとなり、生体情報のモニタリングを中断する。これに対して、ユーザーによって「退床」ボタンがタッチされると、ベッドサイドモニター１００は退床処理を行う。
【００４１】
トランスポートモニター２０がベッドサイドモニター１００に接続された場合、接続検出部１１１によってこのことが検出され、タッチパネル１０９には、図５に示す患者選択画面が表示される。ユーザーは、この画面において、トランスポートモニター２０に設定されている患者ＩＤに紐付けられた患者情報を使うモード、本装置（ベッドサイドモニター１００）に設定されている患者ＩＤに紐付けられた患者情報を使うモード、又は、新規に患者情報を入力してモニタリングを開始するモードのうちのいずれかを選択できる。
【００４２】
＜３＞実施の形態の動作
図６は、本実施の形態の動作の説明に供する図である。
【００４３】
状態Ｍ１において、トランスポートモニター２０とベッドサイドモニター１００とが接続中であり、患者Ａの生体情報がモニタリングされている。この状態では、トランスポートモニター２０とベッドサイドモニター１００とで患者ＩＤが同一となっている（つまり、患者Ａの患者ＩＤとなっている）。
【００４４】
状態Ｍ２において、トランスポートモニター２０がベッドサイドモニター１００から外され、患者Ａが移送される。このとき、ベッドサイドモニター２０はトランスポートモニター１００の外れを接続検出部１１１により検出し、タッチパネル１０９にモニタリング中断確認画面（図４）を表示する。
【００４５】
状態Ｍ３において、ユーザーがモニター中断ボタンをタッチ操作する。この結果、ベッドサイドモニター１００はモニタリング中断モードとなる。
【００４６】
状態Ｍ４において、患者Ａのトランスポートモニター２０が戻って来たとする。このとき、ベッドサイドモニター１００はＩＤ識別部１１２によって患者ＩＤが同一のトランスポートモニター２０が戻って来たことを検知する。そして、ベッドサイドモニター１００は、状態Ｍ６に移って、モニタリング中断を解除する。
【００４７】
これに対して、状態Ｍ５において、患者Ｂのトランスポートモニター２０が接続されたとする。このとき、ベッドサイドモニター１００はＩＤ識別部１１２によって患者ＩＤが異なるトランスポートモニター２０が接続されたことを検知する。そして、ベッドサイドモニター１００は、状態Ｍ７に移って、タッチパネル１０９に患者選択画面（図５）を表示することで、患者選択確認処理を行う。
【００４８】
このように、本実施の形態のベッドサイドモニター１００は、トランスポートモニター２０が外されて、モニタリング中断モードとなった後に、トランスポートモニター２０が接続されると、接続されたトランスポートモニター２０の患者ＩＤが中断モードとなったときの患者ＩＤと同じか否か検知し、患者ＩＤが同じ場合には強制的に中断モードを解除する。この結果、医療従事者による「継続（又は再開）」のボタンの押し忘れによって、トランスポートモニター２０が接続されているにも関わらずベッドサイドモニター１００が中断モードのままとなることを防止できる。
【００４９】
＜４＞実施の形態の効果
以上説明したように、本実施の形態によれば、ベッドサイドモニター１００は、自装置のモニタリングを中断モードに設定操作可能な操作部（タッチパネル１０９）と、トランスポートモニター２０との接続を検出する接続検出部１１１と、接続検出部１１１によってトランスポートモニター２０が未接続状態から接続状態となったことが検出された場合、中断モードに設定されたときに接続されていたトランスポートモニター２０の患者ＩＤと今回接続状態となったトランスポートモニター２０の患者ＩＤとが同一であるか否かを識別するＩＤ識別部１１２と、ＩＤ識別部１１２によって、中断モードに設定されたとき又は中断モードに設定される直前に接続されていたトランスポートモニター２０の患者ＩＤと、今回接続状態となったトランスポートモニター２０の患者ＩＤとが同一であると識別された場合、自装置のモニタリングを中断モードから強制的にモニタリングモードに復帰させる制御部１１０と、を有する。これにより、医療従事者による「継続（又は再開）」のボタンの押し忘れによる不都合を防止できるベッドサイドモニター１００を実現できる。
【００５０】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００５１】
上述の実施の形態では、ＩＤ識別部１１２によって、中断モードに設定されたとき又は中断モードに設定される直前に接続されていたトランスポートモニター２０の患者ＩＤと、今回接続状態となったトランスポートモニター２０の患者ＩＤとが同一であると識別された場合、自装置のモニタリングを中断モードから強制的にモニタリングモードに復帰させる場合について述べたが、本発明はこれに限らず、強制的にモニタリングモードに復帰させるのではなく、モニタリングの復帰操作をユーザーに促す表示を行うようにしてもよい。例えば、「トランスポートモニターが接続されました。継続ボタンを押してください。」などの表示を行ってもよい。要は、ＩＤ識別部１１２によって、中断モードに設定されたときに又は中断モードに設定される直前に接続されていたトランスポートモニター２０の患者ＩＤと、今回接続状態となったトランスポートモニター２０の患者ＩＤとが同一であると識別された場合、自装置のモニタリングを中断モードからモニタリングモードに復帰させるための処理を実行すればよい。このようにすれば、上述の実施の形態と同様の効果を得ることができる。
【００５２】
また、上述の実施の形態のトランスポートモニターは、テレメータと読み換えて実施することもできる。つまり、本発明のトランスポートモニターは、ベッドサイドモニターに接続可能である、移動可能な生体情報測定装置を意味する。
【産業上の利用可能性】
【００５３】
本発明は、トランスポートモニターを接続可能なベッドサイドモニターに広く適用可能である。
【符号の説明】
【００５４】
１１、１１Ａ〜１１Ｘ、１２、１２Ａ〜１２Ｘ、１３Ａ〜１３Ｘ、１００  ベッドサイドモニター
２０  トランスポートモニター
１０７  表示制御部
１０９  タッチパネル
１１０  制御部
１１１  接続検出部
１１２  ＩＤ識別部
【図１】
2019013682.tif 000003
【図２】
2019013682.tif 000004
【図３】
2019013682.tif 000005
【図４】
2019013682.tif 000006
【図５】
2019013682.tif 000007
【図６】
2019013682.tif 000008